(57)【要約】バックパックの形をしたワイヤー取扱い補助装置。金属表面の溝内に溶接されるワイヤーの小型ロールの取扱いに有用な装置。【選択図】図１
2015516884.tif 000002
【特許請求の範囲】
【請求項１】
可搬式ワイヤー取扱い補助装置であって、
筐体と、
前記筐体内に回転可能に取り付けられたスプールであって、前記スプールがある量のワイヤーを受け取るように構成されている、スプールと、
前記スプールに隣接して前記筐体内に回転可能に取り付けられた案内車であって、前記案内車が、前記スプールから前記ワイヤーを受け取って、前記ワイヤーを第１および第２の駆動輪に向けるように構成されている、案内車と、
前記スプール上に制動作用を提供するように構成されているブレーキと
を備える、可搬式ワイヤー取扱い補助装置。
【請求項２】
前記案内車が前記ブレーキに連結されている、請求項１に記載の可搬式ワイヤー取扱い補助装置。
【請求項３】
前記ブレーキと前記筐体との間で連結されたばねをさらに備える、請求項１に記載の可搬式ワイヤー取扱い補助装置。
【請求項４】
前記第１および第２の駆動輪が、前記ワイヤーを前記スプールから引き出して、それを前記筐体の外に向けるように構成されている、請求項１に記載の可搬式ワイヤー取扱い補助装置。
【請求項５】
前記第１および第２の駆動輪を囲む駆動筐体をさらに備える、請求項１に記載の可搬式ワイヤー取扱い補助装置。
【請求項６】
前記駆動筐体に取り付けられたブッシュをさらに備え、前記ブッシュが、前記ワイヤーを前記スプールから受け取り、それを前記第１および第２の駆動輪に導くように位置付けられている、請求項５に記載の可搬式ワイヤー取扱い補助装置。
【請求項７】
前記筐体が、ユーザーによって運搬されることを可能にするように、大きさが決められて構成されている、請求項１に記載の可搬式ワイヤー取扱い補助装置。
【請求項８】
作業ベルトに取り付けるため、前記筐体に取り付けられた少なくとも１つのベルトループリングをさらに備える、請求項１に記載の可搬式ワイヤー取扱い補助装置。
【請求項９】
ワイヤー取扱い補助装置であって、
筐体と、
前記筐体内に回転可能に取り付けられたスプールであって、前記スプールがある量のワイヤーを受け取るように構成されている、スプールと、
前記スプールの回転にブレーキをかけるように構成されたブレーキと、
前記ブレーキに連結された案内車であって、前記案内車が、前記スプールから前記ワイヤーを受け取って、前記ワイヤーを第１および第２の駆動輪に向けるように構成されている、案内車と
を備え、
前記第１および第２の駆動輪が前記ワイヤーを前記スプールから引き出して、それを前記筐体の外に向けるように構成されている、
ワイヤー取扱い補助装置。
【請求項１０】
前記ブレーキと前記筐体との間で連結されたばねをさらに備える、請求項９に記載のワイヤー取扱い補助装置。
【請求項１１】
前記第１および第２の駆動輪を囲む駆動筐体をさらに備え、前記駆動筐体が第１および第２の遊動輪をさらに備え、前記遊動輪が、前記ワイヤーを前記第１および第２の駆動輪から受け取るため、および前記ワイヤーを前記駆動筐体の外に向けるためである、請求項９に記載のワイヤー取扱い補助装置。
【請求項１２】
前記駆動筐体に取り付けられた第１のブッシュをさらに備え、前記第１のブッシュが、前記ワイヤーを前記案内車から受け取り、前記ワイヤーを前記第１および第２の駆動輪に導くように位置付けられている、請求項１１に記載のワイヤー取扱い補助装置。
【請求項１３】
前記駆動筐体に取り付けられた第２のブッシュをさらに備え、前記第２のブッシュが、前記ワイヤーを前記第１および第２の遊動輪から受け取り、前記ワイヤーを前記駆動筐体の外に向けるように位置付けられている、請求項１２に記載のワイヤー取扱い補助装置。
【請求項１４】
前記筐体が、ユーザーによって運搬されるように、大きさが決められて構成されている、請求項９に記載のワイヤー取扱い補助装置。
【請求項１５】
作業ベルトに取り付けるため、前記筐体に取り付けられた少なくとも１つのベルトループリングをさらに備える、請求項９に記載のワイヤー取扱い補助装置。
【請求項１６】
可搬式ワイヤー取扱い補助装置であって、
筐体内に回転可能に取り付けられたスプールであって、前記スプールがある量のワイヤーを受け取るように構成されている、スプールと、
前記スプールの回転を調整するように構成されたブレーキと、
前記スプールから前記ワイヤーを受け取って、前記ワイヤーを第１および第２の駆動輪に向けるように構成された案内車であって、前記案内車が、前記ブレーキの端部に連結されている、案内車と
を備え、
前記第１および第２の駆動輪が前記ワイヤーを前記スプールから引き出すように構成されている、
可搬式ワイヤー取扱い補助装置。
【請求項１７】
駆動筐体をさらに備え、前記駆動筐体が、前記第１および第２の駆動輪ならびに第１および第２の遊動輪を囲み、前記遊動輪が、前記ワイヤーを前記第１および第２の駆動輪から受け取り、前記ワイヤーを前記駆動筐体の外に向けるように構成されている、請求項１６に記載の可搬式ワイヤー取扱い補助装置。
【請求項１８】
前記駆動筐体に取り付けられた第１のブッシュをさらに備え、前記第１のブッシュが、前記ワイヤーを前記案内車から受け取り、それを前記第１および第２の駆動輪に導くように位置付けられている、請求項１６に記載の可搬式ワイヤー取扱い補助装置。
【請求項１９】
前記駆動筐体に取り付けられた第２のブッシュをさらに備え、前記第２のブッシュが、前記ワイヤーを前記駆動筐体の外に向けるように位置付けられている、請求項１８に記載の可搬式ワイヤー取扱い補助装置。
【請求項２０】
前記筐体が、ユーザーによって運搬されるように、大きさが決められて構成されている、請求項１６に記載の可搬式ワイヤー取扱い補助装置。
【発明の詳細な説明】
【技術分野】
【０００１】
〔関連出願の相互参照〕
これは、２０１２年２月１３日に出願された米国特許出願第１３／３７１，６６２号の継続出願であり、その出願の全体が参照により本明細書に組み込まれる。
【背景技術】
【０００２】
本発明は、溶接されるワイヤーの小断片の取扱いに有用な器具を取り上げる。コイル状のワイヤーは、商業的にコイル状の構成で梱包され、出荷されて保管され、ほとんどの場合、保管用コンテナを使用する。しかし、この梱包された市販のワイヤーは、通常、大量に、すなわち、いかなる作業員も運べない、数百フィード単位で梱包されている。
【０００３】
溶接装置で使用される場合に大量の保管されたワイヤーを取り扱うために有用な器具が存在する。かかる器具は、２０１１年１月２１日に、本特許出願の発明者である、Ｔｈｏｍａｓ  Ｗ．Ｂｕｒｎｓの名において出願された米国特許出願第１２／９３１，００７号で見ることができる。
【発明の概要】
【発明が解決しようとする課題】
【０００４】
本明細書で開示および請求されるのは、ワイヤーを溶接装置に供給する機器と共に、少量のワイヤーを運搬することを可能にする小型装置である。ワイヤーが溶接ガンに供給される、溶接用の使用において、ワイヤーは、ガンの背面からガンの中に入り、電気エネルギーを受けて、溶け、溶接される金属内の溝に入れられて、溶接ビードを形成する。少量のワイヤーでさえ、制御されていなければ、ワイヤーは、溶接ガンの先端を離れると、溶かされる前に、通常、任意の所与の方向に曲がって、ビードを形成するために溝に入らない。従って、（コイル状のワイヤーの外観を保持しない）ワイヤーの非常に短い部分を使用せざるを得ないか、またはワイヤーが、ワイヤー外観を取り除いてワイヤーの真っ直ぐな部分を提供するために手で曲げることができるように十分に短い。
【０００５】
もっと長い部分でも、ワイヤーは、制御されていなければ、再度コイル状になる傾向がある、すなわち、その元の外観を再び取ろうとするか、または直線性を脱して曲がって、装置内で混乱を生じ、溶接プロセスの混乱および修理のための装置の起こり得るシャットダウンの原因となる。それは、再使用できず、取り替えるのに費用のかかる、もつれて曲がったワイヤーも提供する。
【課題を解決するための手段】
【０００６】
従って、本明細書で開示および請求されるのは、バックパックの形をしたワイヤー取扱い補助装置（ｗｉｒｅ  ｈａｎｄｌｉｎｇ  ｆａｃｉｌｉｔａｔｏｒ）である。ワイヤー取扱い補助装置は、前面、背面、および背面に接合する中央ラップアラウンド側壁を有する筺体を含む。前面は、開きドアである。
【０００７】
筐体内に配置されて支持されているのはスプールである。スプールは、遠位端および近位端を有する中心に置かれた第１の軸を有する。第１の軸は、遠位端で、内側背壁表面への取付けによって支持される。近位端は、離れてそれ、スプール固定器具に取り付けられている。
【０００８】
第２の軸に取り付けられた調整輪があり、第２の軸の遠位端が、内側背壁表面に固定して取り付けられている。近位端および遠位端を有するブレーキペダルがあり、近位端は第１の開口部をその中に有する。ブレーキペダルは、第１の開口部によって第２の軸に取り付けられ、ブレーキペダルの近位端の近くに第２の開口部がある。第２の開口部は、離れてそれに取付けられた張力ばねの近位端を有し、張力ばねの反対側の端部が、隣接するワイヤー取扱い補助装置の筐体に離れて取り付けられている。
【０００９】
調整輪は、調整輪の外側の溝内のスプールからワイヤーを受け取るように調整されている。ワイヤー駆動プーラーおよびドライバ（駆動ローラー、駆動輪）がある。ワイヤー駆動プーラーおよびドライバは、前壁および背壁を有する筐体から成る。
【００１０】
前壁内に第１の開口部および背壁内に第２の開口部があり、第１の開口部および第２の開口部の各々がその中に挿入されたガイドブッシュを有する。各々が中心に置かれた軸および外側円周を有する２つの駆動ローラーの組があり、駆動ローラーの組は調整輪と垂直に位置合わせされ、かつ、駆動ローラーは互いに垂直に位置合わせされている。駆動ローラーは、それぞれの外側円周で互いにごく接近している。駆動ローラー張力を制御する手段がある。
【００１１】
各々が中心に置かれた軸および外側円周を有する２つの遊びローラーの組があり、遊びローラーの組は調整輪と位置合わせされ、かつ、互いに垂直に位置合わせされている。遊びローラーは、外側円周で互いにごく接近している。駆動ローラーに電力を供給して駆動するために、駆動ローラーに取り付けられた駆動モーターとともに、駆動ローラーの回転速度を制御する手段がある。
【００１２】
添付の図は、開示された方法の原理の実際の適用に対してこれまでに考案された、その好ましい実施形態を示す。
【図面の簡単な説明】
【００１３】
【図１】本発明の装置の全体側面図である。
【図２】本発明の装置の全体背面図である。
【図３】本発明の装置の全体正面図である。
【発明を実施するための形態】
【００１４】
ここで、本発明の装置１の全体側面図である、図１を参照すると、前面３、背面４、および背面４に接合する中央ラップアラウンド側壁５から成る筺体２が示されている。前面３は、蝶番６により、所定位置に保持されて、開けるために移動可能な開きドアから成る。蝶番６の数は、それらがドアを所定位置に保持して、支障なくドアを開けるのを可能にする限り、重要ではない。図１の蝶番６の数は、３つとして示されている。筐体２の形状も重要ではない。筐体２の背面４は、基本的に、前面３の構成に従って構成される。筐体２は、図２に示されている、ラップアラウンド側壁５への取付けによって結合される。
【００１５】
軸組立体８によって背壁４上に支持されているスプール７がある。スプール７のための固定器具９が軸８上にある。
【００１６】
スプール７から巻き出されている任意のワイヤー１５（図１にかくれ線で示す）の速度を制御する、ワイヤー速度調整組立体１２がラップアラウンド側壁５の外表面上にある。
【００１７】
前部ドア用の留め具１３および作業員のベルトに取り付けるための２つのベルトループリング１４がある。これは、作業員が、装置１およびそのワイヤーを自分の手を使う必要なく、取り扱うことを可能にする。
【００１８】
ワイヤー１５がスプール７から移動する時にそれを集めて駆動輪１７に導くインライン案内車１６および駆動輪筐体１９内の遊動輪１８がある。ワイヤー１５の駆動輪１７および遊動輪１８への効率的な移送に対応するブッシュ２０が駆動輪筐体１９の前壁２１内にある。ワイヤー１５を装置１の背面から外に出す移送に対応するために、筐体１９の背壁２３内にブッシュ２２もある。
【００１９】
案内車１６は、軸２５、ブレーキ２６に回転可能に取り付けられており、ブレーキ２６は、スプール７のエッジ面まで延出して、ワイヤー１５が巻き戻されてもつれないように、スプール７上で制動または緩衝（ｓｎｕｂｂｉｎｇ）動作を提供する。ブレーキ２６は、張力調整装置２７を有し、それは、ブレーキ２６に取り付けられ、反対端がラップアラウンド側面２に取り付けられている、ばね２８から成る。
【００２０】
ここで、それぞれ、装置１の全体ラップアラウンド背面図および装置１の全体ラップアラウンド正面図である、図２および図３を参照すると、筐体２、前面３、背面４、ラップアラウンド側面５、蝶番６、スプール７、軸組立体８、スプール７用固定装置９、スプール７用ガイドピン１０、ワイヤースプール速度制御１２、前面３用留め具１３、ベルトループリング１４、ワイヤー１５、案内車１６、遊動輪１８、駆動輪筐体１９、筐体１９の背壁２３内のブッシュ２２が示されており、加えて、駆動輪１７を駆動するモーター２９が示されている。符号３０は、駆動輪１７の張力調整を可能にする駆動輪張力調整装置を示す。
【００２１】
図１に示すのは、溶接ガン（図示せず）に向かう電力およびガス供給組立体３１の一部である。この供給組立体は、ガン用の電力および、かかるガンで必要とされる不活性ガス供給も含む。不活性ガスは、通常、アルゴン、ヘリウム、および二酸化炭素から成るグループから選択されたガスから成る。
【００２２】
駆動輪１７は、ワイヤー１５をスプール７から引き出して、それを、遊動輪１８を通過し、次いでブッシュ２２を通って、そこから備えられたガンの後端まで供給して、溶接される作業生産物の溝および継ぎ目にワイヤーを溶接する。
【００２３】
本発明は、ある実施形態を参照して開示されているが、添付の請求項で定義されているとおり、本発明の精神および範囲から逸脱することなく、説明された実施形態に対する多数の修正、調整、および変更が可能である。その結果、本発明は説明された実施形態に限定されるのではなく、以下の請求項の言語、およびそれらの均等物によって定義される完全な範囲を有することを意図する。
【図１】
2015516884.tif 000003
【図２】
2015516884.tif 000004
【図３】
2015516884.tif 000005
【国際調査報告】
2015516884.tif 000006